(57)【要約】      （修正有）【課題】横幅の異なる複数機種の自動販売機および異なる種類の商品見本に共通に使用が可能で、商品見本の近傍に訴求表示部材の取り付けが可能で、軽量化に寄与する自動販売機の商品見本展示装置を提供する。【解決手段】ディスプレイ台は、ディスプレイ室の左右方向にｎ分割（ｎ≧２以上の整数）されたプラスチック成形品になる商品載置台２を保持する左右一対のブラケット３からなり、商品載置台２のステージ２１上には、立体状商品見本を嵌合係止する複数の開口部２４、シート状商品見本を装着する開口部２４の前方側であって湾曲状に配設された第一装着部、訴求表示部材を装着する開口部２４の背後であって左右方向に配設された第二装着部を備え、ディスプレイ室にディスプレイ台を左右方向に連接してなることにより、異なる種類の商品見本（立体状商品見本、シート状商品見本）を選択的に展示可能で、商品見本の近傍に訴求表示部材を取り付け可能でとする。【選択図】図２
2014071875.tif 000002
【特許請求の範囲】
【請求項１】
本体キャビネットの前面を開閉する外扉に形成されたディスプレイ室内に配設され、複数の商品見本を展示するディスプレイ台を備えた自動販売機の商品見本展示装置において、ディスプレイ台は、ディスプレイ室の左右方向にｎ分割（ｎ≧２以上の整数）されたプラスチックの成形品になる商品載置台および当該商品載置台を保持する左右一対のブラケットからなり、前記商品載置台のステージ上には、立体状商品見本を嵌合係止するところの左右方向に配設された複数の開口部、シート状商品見本若しくは訴求表示部材を装着するところの、前記開口部の前方側であって当該開口部に対応して湾曲状に配設された第一装着部、訴求表示部材を装着するところの、前記開口部の背後であって左右方向に配設された第二装着部を備え、前記ディスプレイ室にディスプレイ台を左右方向に連接してなることを特徴とする自動販売機の商品見本展示装置。
【請求項２】
請求項１に係る自動販売機の商品見本展示装置において、第一装着部は前方側に凸の湾曲状に点在する複数の係止孔若しくは前方側に凸の湾曲状に形成された一条のスリットからなることを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に複数の商品見本を左右に並べて展示した自動販売機の商品見本展示装置に関するものである。
【背景技術】
【０００２】
この種の従来の自動販売機の商品見本展示装置について図１２を用いて説明する。図１２は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出機構を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
前記外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の立体状商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各立体状商品見本８０に対応して左右に一列に並べて設けた商品選択ボタン９０１を有している。さらに、外扉２０の前面には、硬貨識別装置２０７に連通する硬貨投入口２０１、紙幣識別装置２０８に連通する紙幣挿入口２０２、返却レバー２０３、ロック付ハンドル２０４、硬貨返却口２０５、および商品取出口２０６などが設けられている。
【０００４】
前記ディスプレイ台７０は、良く知られているように、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には立体状商品見本８０を嵌合保持する開口部が左右方向に複数並設されている。
【０００５】
前記立体状商品見本８０は光透過材料により形成された中空状の本体部に商品のデザインが施されるとともに当該本体部の底面に光導入部を設けられている。前記立体状商品見本８０は前記ディスプレイ台７０に形成した開口部に嵌合保持されると、ディスプレイ台７０の内部に設けた照明光源からの光がディスプレイ台７０の開口部と立体状商品見本８０の底部に形成した光導入部とを通して本体部の内部に照射されることにより恰も発光しているように展示される。前記立体状商品見本８０は立体、具体的には、缶，瓶，ペットボトルなどの容器形状に一致させた中空状の本体部を備えた商品見本や、前記中空状の本体部を縦方向に半分に切断した半割り状の商品見本などが一般的であるが、ディスプレイ台７０の開口部に嵌合させることができない、例えば、缶，瓶，ペットボトルなどの容器から中身飲料などを抜いた空容器などを展示する場合には、ディスプレイ台７０の開口部に着脱自在な商品見本展示用アタッチメントを用いて空容器を展示するように構成されている（例えば、特許文献１）。
【０００６】
ここで、利用者はディスプレイ台７０に載置された立体状商品見本８０を見ることにより購入商品を選択するようになっているため、例えば新発売の商品を購入しようとする場合にはディスプレイ室５０に上下方向に複数段配されたディスプレイ台７０に載置された複数の立体状商品見本８０の中から希望する立体状商品見本８０を見つけねばならない。そこで、立体状商品見本８０に新発売の商品を表す文字やキャッチフレーズを施したシート状の表示物を取り付けて目立つようにするとともに販売促進を行うようにしたものが知られている（例えば、特許文献２）。また、前記文字などが表示された広告シートに限らず、立体状商品見本８０に装飾などの表示部材を取り付けて利用者の購買意欲を高めるため、販売促進を図るようにしたものも知られている。
【先行技術文献】
【特許文献】
【０００７】
【特許文献１】特開２００８−２４２５０５号公報
【特許文献２】特許第４５５１６４５号公報
【発明の概要】
【発明が解決しようとする課題】
【０００８】
上記特許文献１に記載されたディスプレイ台７０はディスプレイ室５０の左右に跨って架設される態様で一枚の長尺の板金を、縦断面略コ字形で下方が開放した箱状体として形成され、かつ、ディスプレイ台５０の左右端部で保持されるように横長に形成されることから薄板化が困難であるとともにディスプレイ室５０に上下方向に複数段設置されることから自動販売機の重量の増大化の一要因となっている。また、前記自動販売機は商品収容数に応じて横幅の異なる複数機種に分類され、これに伴ってディスプレイ台７０の長さも機種ごとに異なり、複数種類のディスプレイ台７０を用意せねばならないものである。
【０００９】
ところで、ディスプレイ室５０に展示される商品見本には、立体状の商品見本に加え、プラスチックシートに商品の外観意匠を印刷した矩形平板からなるシート状商品見本が知られており、このシート状商品見本と立体状の商品見本を同一のディスプレイ台に並べて展示することが望まれている。しかしながら、特許文献１に記載されたディスプレイ台７０の開口部にシート状商品見本を直接嵌合させることは困難である。このため、シート状商品見本を保持するとともにディスプレイ台の開口部と係合する係合部を備えた商品見本展示用アタッチメントを追加装備することが考えられる。しかしながら、この場合には商品見本展示用アタッチメントを用意せねばならず、コストが嵩むという課題を有する。
【００１０】
また、特許文献２に記載された発明によれば、新発売の商品を表す文字やキャッチフレーズを施したシート状の表示物により商品見本を目立たせて販売促進や訴求表示を行うことができる点で優れている。しかしながら、シート状の表示物を商品見本に取り付けるために表示物保持具を必要とすることからコストが嵩むとともにシート状商品見本のように商品見本が軟弱である場合には商品見本が変形するおそれがあるという課題を有する。
【００１１】
そこで、本発明は上記の点に鑑みなされたものであり、その目的は前記課題を解決し、横幅の異なる複数機種の自動販売機および異なる種類の商品見本に共通に使用することが可能で、かつ、商品見本の近傍に訴求表示部材を取り付けることが可能であり、さらに自動販売機の軽量化に寄与する自動販売機の商品見本展示装置を提供することにある。
【課題を解決するための手段】
【００１２】
上記目的を達成するため請求項１に係る発明は、本体キャビネットの前面を開閉する外扉に形成されたディスプレイ室内に配設され、複数の商品見本を展示するディスプレイ台を備えた自動販売機の商品見本展示装置において、ディスプレイ台は、ディスプレイ室の左右方向にｎ分割（ｎ≧２以上の整数）されたプラスチックの成形品になる商品載置台および当該商品載置台を保持する左右一対のブラケットからなり、前記商品載置台のステージ上には、立体状商品見本を嵌合係止するところの左右方向に配設された複数の開口部、シート状商品見本若しくは訴求表示部材を装着するところの、前記開口部の前方側であって当該開口部に対応して前方側に凸の湾曲状に配設された第一装着部、訴求表示部材を装着するところの、前記開口部の背後であって左右方向に配設された第二装着部を備え、前記ディスプレイ室にディスプレイ台を左右方向に連接してなることを特徴とする。
【００１３】
また、請求項２に係る発明は、請求項１に係る自動販売機の商品見本展示装置において、第一装着部は前方側に凸の湾曲状に点在する複数の係止孔若しくは前方側に凸の湾曲状に形成された一条のスリットからなることを特徴とする。
【発明の効果】
【００１４】
本発明の請求項１に係る自動販売機の商品見本展示装置によれば、本体キャビネットの前面を開閉する外扉に形成されたディスプレイ室内に配設され、複数の商品見本を展示するディスプレイ台を備えた自動販売機の商品見本展示装置において、ディスプレイ台は、ディスプレイ室の左右方向にｎ分割（ｎ≧２以上の整数）されたプラスチックの成形品になる商品載置台および当該商品載置台を保持する左右一対のブラケットからなり、前記商品載置台のステージ上には、立体状商品見本を嵌合係止するところの左右方向に配設された複数の開口部、シート状商品見本若しくは訴求表示部材を装着するところの、前記開口部の前方側であって当該開口部に対応して湾曲状に配設された第一装着部、訴求表示部材を装着するところの、前記開口部の背後であって左右方向に配設された第二装着部を備え、前記ディスプレイ室にディスプレイ台を左右方向に連接してなることにより、一種類のディスプレイ台により横幅の異なる複数機種の自動販売機および異なる種類の商品見本に対応可能であるとともに異なる種類の商品見本を選択的に展示することが可能であり、かつ、コストの上昇を招くことなく商品見本の近傍に訴求表示部材を取り付けて販売促進を図ることが可能であり、さらにディスプレイ台の商品載置台をプラスチックの成形品とすることにより自動販売機の軽量化に寄与するものである。
【００１５】
また、請求項２に係る発明によれば、請求項１に係る自動販売機の商品見本展示装置において、第一装着部は前方側に凸の湾曲状に点在する複数の係止孔若しくは前方側に凸の湾曲状に形成された一条のスリットからなることにより、薄いプラスチックシートからなるシート状商品見本或いは訴求表示部材を前方側に凸の湾曲した起立姿勢に維持することができるので自立させて安定して展示することが可能となる。
【図面の簡単な説明】
【００１６】
【図１】本発明の実施の形態１に係る自動販売機の商品見本展示装置の要部斜視図である。
【図２】図１に示したディスプレイ台の分解斜視図である。
【図３】図２に示したディスプレイ台を構成する商品載置台を示し、（ａ）はその平面図、（ｂ）はその下面斜め後方から見た鳥瞰図、（ｃ）はその斜め上方から見た一部切欠鳥瞰図である。
【図４】図２に示したディスプレイ台を構成する左右一対のブラケットを示し、（ａ）は左端側のブラケットの側面図、（ｂ）は左端側のブラケットの左斜め後方から見た鳥瞰図、（ｃ）は中央のブラケットの左斜め後方から見た鳥瞰図である。
【図５】ディスプレイ台の組立て状態を示し、（ａ）は商品載置台を商品展示位置にセットした状態の側面図、（ｂ）は商品載置台をメンテナンス位置に移動させた状態の側面図である。
【図６】図１のディスプレイ台に商品見本などを展示した状態を示す鳥瞰図である。
【図７】本発明の実施の形態２に係る自動販売機の商品見本展示装置の要部斜視図である。
【図８】図７に示したディスプレイ台の分解斜視図である。
【図９】図７に示したディスプレイ台を構成する商品載置台を示し、（ａ）はその下面斜め後方から見た鳥瞰図、（ｂ）はその側面図である。
【図１０】ディスプレイ台の組立て状態を示す側面図である。
【図１１】図７のディスプレイ台に商品見本などを展示した状態を示す鳥瞰図である。
【図１２】本発明が対象とする自動販売機の一例を示し、（ａ）はその正面図、（ｂ）は外扉を開放した状態の斜視図である。
【発明を実施するための形態】
【００１７】
以下、本発明の実施の形態に係る自動販売機の商品見本展示装置について添付図面を参照して説明する。ここで、本発明の実施の形態に係る自動販売機の商品見本展示装置が従来装置と相違する点は特にディスプレイ台の周辺であるので、ここでは従来装置と相違するディスプレイ台の周辺について説明することとし、また、自動販売機の全体構成は図１２に示したものと同一であるので適宜図１２を参照しつつ説明を行う。
【００１８】
（実施の形態１）
図１において、６０で再び中扉を示し、この中扉６０と、図１２に示した外扉２０に開閉可能に支持されるとともに外扉２０の前面を覆う透明板４０との間の空間がディスプレイ室５０として形成されている。１は本発明に係るディスプレイ台であり、前記中扉６０に取付けられている。前記ディスプレイ台１は、この実施の形態１ではディスプレイ室５０の左右方向に２分割されてなり、２個のディスプレイ台１を左右方向に連ねて上下方向に３段の商品見本展示部が形成されている。なお、６１は中扉６０の下端に係止されたポスター展示部である。
【００１９】
前記ディスプレイ台１は、図２に示すように、光透過性（例えば、乳白色）のプラスチック成形品からなる商品載置台２と薄板鋼板からなる左右一対のブラケット３，３とからなる。なお、図２は左右に２分割されたディスプレイ台１のうち、左側のディスプレイ台１を示し、左右一対のブラケット３，３は左端側のブラケット３Ｌ１と中央のブラケット３Ｍとを示している。
【００２０】
前記商品載置台２は、図３にも示すように、横長平板状のステージ２１と、当該ステージ２１の左右端縁に連なる左右側壁２２，２２と、前記ステージ２１の前縁に連なる前面壁２３とからなる。前記商品載置台２のステージ２１には、立体状商品見本８０が嵌合係止される複数、この実施の形態１では６個からなる略円形状の開口部２４と、前記開口部２４の前方側であって当該開口部２４の円形状縁部に沿って湾曲状に配設された３個のスリット状の係止孔２５，２６，２７と、前記開口部２４の背後であって左右方向に配設された塀状の支持壁２８と当該支持壁２８の前方側に前記支持壁２８から所定の間隙を隔てて起立する挟持片２９および左右端部に開口する係止孔２１０が形成されている。前記開口部２４の円形状縁部に沿って湾曲状に配設された３個の係止孔２５，２６，２７が、後述する図６に示したシート状商品見本８１若しくは訴求表示部材８２を装着する第一装着部として構成され、前記支持壁２８と挟持片２９とが後述する図６に示した訴求表示部材８３を装着する第二装着部として構成されている。ここで、スリット状の係止孔２５，２６，２７のスリット幅および支持壁２８と挟持片２９との間の間隙は薄いシート状商品見本８１若しくは薄いシート状の訴求表示部材８２，８３の厚み寸法よりも比較的大きく形成されている一方、スリット状の係止孔２５，２６，２７の対向する内壁、支持壁２８と挟持片２９の対向する壁面には互い違いに噛み合う鋸歯状の突起ＰＪが形成されており、両者の突起ＰＪの先端の間に微小間隙が生じるように構成されている。
【００２１】
前記商品載置台２の左右側壁２２，２２にはそれぞれ内側に向って突出する支持軸２２１（図３の（ｂ）参照）が設けられている。この支持軸２２１は、左右側壁２２，２２に一体に形成され、上方に開放した半円状に形成され、当該半円の両端が水平をなしている。前記商品載置台２の前面壁２３の下端は前方側に折り返して断面Ｕ字状のガイド部２３１が形成されている。このガイド部２３１は、前面壁２３との間に前後に重ね合わせて装着されるところの図６に示した横長帯状の冷温表示部材４および価格表示部材５を係止保持する係止溝を構成するものである。前記ガイド部２３１のＵ字状底壁には、図３の（ｃ）に示すように、突状の係止部２３２が形成されている。この係止部２３２には前記冷温表示部材４および価格表示部材５の溝（不図示）が係合し、冷温表示部材４および価格表示部材５が左右方向にずれるのを防止するものである。また、前面壁２３とガイド部２３１と対向する壁面には、図３の（ｃ）に示すように、上下方向に延在する突起２３３が互い違いに設けられている（図３の（ｃ）では前面壁２３の突起２３３のみが示されている）。この突起２３３は薄板からなる冷温表示部材４および価格表示部材５に対して係止溝の溝幅を大きく形成することにより成形品の成形を容易にする一方、冷温表示部材４および価格表示部材５を前後から挟んで上方に移動するのを防止する機能を有する。さらに、前記ガイド部２３１のＵ字状底部には複数の開口部２３４が形成されている。前記開口部２３４には、前面壁２３とガイド部２３１との間の係止溝に装着された冷温表示部材４および価格表示部材５が臨み、前記開口部２３４を介して冷温表示部材４若しくは価格表示部材５を指により上方へ移動させることが可能である。
【００２２】
前記商品載置台２とともにディスプレイ台１を構成する左右一対のブラケット３，３は商品載置台２を支持する腕木として機能するものであり、これを図４により説明する。図４の（ａ）および（ｂ）は、左右方向に２分割されたディスプレイ台１のうちの左側のディスプレイ台１の左端側のブラケット３Ｌ１を示し、４の（ｃ）は左右方向に２分割されたディスプレイ台１の中央に位置し、かつ、左側のディスプレイ台１の右端側のブラケット３Ｒ１および右側のディスプレイ台１の左端側のブラケット３Ｌ２を一体化したブラケット３Ｍを示している。
【００２３】
前記ブラケット３Ｌ１には、その板面に前記商品載置台２の左右側壁２２，２２に形成された支持軸２２１を嵌合支持する異形溝３１が形成され、また、ブラケット３Ｌ１の上縁には内側を向くようにガイド片３２が折り曲げて形成され、さらにブラケット３Ｌ１の後縁には内側を向く背板３３が折り曲げて形成され、当該背板３３には背面側に突出するとともに下方に延在した係合爪３３１が切り起こしにより形成されている。前記異形溝３１は、前記支持軸２２１を回転可能に支える前半域の円弧状溝部３１１と、前記円弧状溝部３１１に連ねて後半域に形成され、前記支持軸２２１の移動を拘束して商品載置台４０を展示位置に保持するスライド溝部３１２と、前記円弧状溝部３１１とスライド溝部３１２との中間位置からブラケット３Ｌ１の上縁に切欠き開口した挿脱溝部３１３とを組み合わせて形成されている。前記円弧状溝部３１１は支持軸２２１より一回り大きな円弧状に形成され、また、前記スライド溝部３１２の高さ寸法ｈは支持軸２２１の半径よりも僅かに大きな寸法に定められている。なお、ブラケット３Ｌ１の前縁下部に前方に突出するとともに内側に折り曲げて形成した保護片３４にはナイロンリベット３４１が取り付けられている。
【００２４】
一方、ブラケット３Ｍはブラケット３Ｒ１およびブラケット３Ｌ２の後縁を背板３５（図４（ｃ）参照）により連結してなる。前記ブラケット３Ｒ１は前記ブラケット３Ｌ１と左右対称に形成され、前記ブラケット３Ｌ２は前記ブラケット３Ｌ１と同一に形成されてなり、前記ブラケット３Ｒ１およびブラケット３Ｌ２の板面には、前述したブラケット３Ｌ１の板面に形成した異形溝３１と同一の異形溝３１がそれぞれ形成されている。また、前記背板３５の背面には、前述したブラケット３Ｌ１の背板３３に形成した係合爪３３１と同様な係合爪３５１が形成されているものである。前記背板３５の幅、すなわち、ブラケット３Ｒ１およびブラケット３Ｌ２の間の間隔は、２分割された左右のディスプレイ台１を連接するように突合せた際における隣接する商品載置台２のそれぞれの側壁２２，２２間の寸法よりも若干大きく形成、つまり、ブラケット３Ｒ１およびブラケット３Ｌ２の間に隣接する商品載置台２のそれぞれの側壁２２，２２が嵌り込む大きさに形成されている。なお、図示は省略したが、２分割されたディスプレイ台１のうち、右側のディスプレイ台１の右端側のブラケットは前記ブラケット３Ｌ１と左右対称に形成されているものである。
【００２５】
次に、図２に示すディスプレイ台１の組立てについて図５をも参照しつつ説明すると、まず、左右一対のブラケット３，３をディスプレイ室の中扉６０（図１参照）に取付ける。このブラケット３，３の中扉６０への取付けは、ブラケット３Ｌ１、３Ｍの後端面に切り起しにより形成された係合爪３３１，３５１を中扉６０の所定位置に設けた角穴に挿入係止させる。これによりブラケット３Ｌ１，３Ｍが中扉６０の所定位置に固定される。次いで、中扉６０に固着された左右一対のブラケット３Ｌ１，３Ｍに対して商品載置台２を、左右一対のブラケット３Ｌ１とブラケット３Ｍを構成するブラケット３Ｒ１の上方から被せるように装着する。この場合、商品載置台２の左右側壁２２，２２に内側に向けて突出する支持軸２２１をブラケット３Ｌ１，３Ｒ１の挿脱溝部３１３に対峙させた上で、商品載置台２をブラケット３Ｌ１，３Ｒ１に被せる。そして、商品載置台２のステージ２１の内壁がブラケット３Ｌ１，３Ｒ１の上縁に形成したガイド片３２に当接すると、支持軸２２１がブラケット３Ｌ１，３Ｒ１の異形溝３１に嵌合した状態で商品載置台２がブラケット３Ｌ１，３Ｒ１に一体化される。この状態で商品載置台２を後方（中扉６０側）にスライドさせると、支持軸２２１が異形溝３１のスライド溝部３１２に移動し、前記支持軸２２１における半円状の水平な両端がスライド溝部３１２の平坦な上縁に対峙する。前記商品載置台２を後方にスライドさせる途中において、商品載置台２のステージ２１の両端部に形成された係止孔２１０がブラケット３Ｌ１，３Ｒ１の上縁に内側を向くように形成されたガイド片３２，３２と重なる、つまり、ガイド片３２，３２が係止孔２１０に臨むようになる。そして、商品載置台２の後端が中扉６０に当接する直前にまでスライドすると商品載置台２のステージ２１に形成された係止孔２１０がブラケット３Ｌ１，３Ｒ１のガイド片３２，３２に嵌合して落とし込まれる。この場合、前記商品載置台２のステージ２１（の内壁）がそれぞれのガイド片３２，３２を乗り越えることができるように、支持軸２２１の半円状の水平な両端とスライド溝部３１２の平坦な上縁との間には遊びが形成されているものである。前記商品載置台２のステージ２１に形成された係止孔２１０がブラケット３Ｌ１，３Ｒ１のガイド片３２，３２に嵌合すると前記商品載置台２の支持軸２２１が異形溝３１のスライド溝部３１２に移動した状態、つまり、商品載置台２が商品展示位置にセットされた状態であり、これを図５の（ａ）に示している。
【００２６】
図５の（ａ）に示すように商品載置台２を商品展示位置にセットした状態から商品載置台２を若干持ち上げて商品載置台２のステージ２１に形成された係止孔２１０とブラケット３Ｌ１，３Ｒ１の上縁に内側を向くように形成されたガイド片３２，３２との係合を解除したうえで商品載置台２を前方にスライド移動させると、商品載置台２の左右側壁２２，２２に形成した支持軸２２１がブラケット３Ｌ１，３Ｒ１の異形溝３１における後半域のスライド溝部３１２から前半域の円弧状溝部３１１に移動する。前記支持軸２２１が円弧状溝部３１１に達すると商品載置台２の前方への移動が阻止されるので、支持軸２２１が円弧状溝部３１１、つまり、メンテナンス位置に到達したことを知ることができる。そこで、商品載置台２を、前記支持軸２２１を支点として前方側に回動させると商品載置台２がメンテナンス位置で前傾するように傾倒し始める。そして、商品載置台２の前面壁２３の下端がブラケット３Ｌ１，３Ｒ１の保護片３４に取り付けたナイロンリベット３４１に当接すると商品載置台２は前傾姿勢に傾倒した状態に保持される（図５の（ｂ）参照）。
【００２７】
図５の（ｂ）に示すように、商品載置台２を前傾姿勢に傾倒した状態で、中扉６０の拭き作業や商品載置台２のステージ２１に溜まった塵埃を払い落とす清掃作業、若しくは商品載置台２に展示された商品見本８０の交換などのメンテナンス作業が行われる。この場合、商品載置台２は中扉６０から離れており、また、前傾姿勢に傾倒していることから、そのメンテナンス作業を簡単に行うことができる。清掃や商品見本８０の交換などメンテナンス作業を完了した後は商品載置台２を元の位置に戻す。この作業は前記と逆の手順、つまり、商品載置台２を、支持軸２２１を支点として商品見本８０が起立状態となるように回動させた上で、中扉６０に向けてスライド移動させる。そして、支持軸２２１をブラケット３Ｌ１，３Ｒ１の異形溝３１におけるスライド溝部３１２に嵌合させて商品載置台２を商品見本８０の商品展示位置にセットする。
【００２８】
さて、商品展示位置にセットされた商品載置台２のステージ２１に形成された開口部２４には、図６に示すように、従来と同様に立体状商品見本８０が装着されて展示される一方、前記開口部２４の円形状縁部に沿って湾曲状に配設された３個のスリット状の係止孔２５，２６，２７にはシート状商品見本８１が装着される。前記シート状商品見本８１は、可撓性の薄いプラスチックシートに商品の外観意匠を印刷した矩形平板状の透明若しくは半透明のシートからなるものである。このシート状商品見本８１の下部には前記係止孔２５，２６，２７に対応して３個の突起８１１，８１２，８１３が設けられている。前記突起８１１，８１２，８１３は、シート状商品見本８１を前記係止孔２５，２６，２７に沿って前方側に凸となるように湾曲させた状態で前記係止孔２５，２６，２７に対応する位置に形成されている。したがって、前記シート状商品見本８１を前方側に凸となるように湾曲させた状態で突起８１１，８１２，８１３を前記係止孔２５，２６，２７に差し込むことによってシート状商品見本８１が位置決めされるとともに前方側に凸となるように湾曲した状態が維持される。そして、スリット状の係止孔２５，２６，２７の対向する内壁には互い違いに噛み合う鋸歯状の突起ＰＪ（図３参照）が形成されているので、薄いプラスチックシートからなるシート状商品見本８１を起立姿勢に自立させて安定して展示することが可能となる。
【００２９】
ここで、商品載置台２のステージ２１に形成された開口部２４の円形状縁部に沿って湾曲状に配設された３個のスリット状の係止孔２５，２６，２７には、図６に示したシート状商品見本８１の他に訴求表示部材８２を装着することもできる。この場合、訴求表示部材８２はシート状商品見本８１と同様に可撓性の薄い透明なプラスチックシートからなり、新発売の商品を表す文字やキャッチフレーズなどの広告を表示したものであり、下部には前記シート状商品見本８１の突起８１１，８１２，８１３と同様な３個の突起（不図示）が形成されているものである。
【００３０】
また、商品載置台２のステージ２１に形成された開口部２４の背後であって左右方向に配設された塀状の支持壁２８と当該支持壁２８の前方側に前記支持壁２８から所定の間隙を隔てて起立する挟持片２９との間には図６に示した訴求表示部材８３が装着される。図６では、訴求表示部材８３を説明するために商品載置台２の対応する箇所に展示される立体状商品見本８０若しくはシート状商品見本８１は図示を省略している。前記訴求表示部材８３はステージ２１に展示された立体状商品見本８０若しくはシート状商品見本８１に係る飲料を表現する模様、例えば飲料が炭酸飲料である場合には泡をイメージした模様（図ではリボン）などを印刷した矩形平板状のシートからなるものでる。前記訴求表示部材８３はその下端を塀状の支持壁２８と挟持片２９との間に差し込むことにより起立状態で展示される。この場合、支持壁２８と挟持片２９の対向する壁面には互い違いに噛み合う鋸歯状の突起ＰＪ（図３参照）が形成されているので、支持壁２８と挟持片２９の間に差し込まれた訴求表示部材８３は位置決めされて安定した起立姿勢に維持される。なお、図６に示した訴求表示部材８３は商品展示台２よりも短い矩形平板状のものについて説明したが、商品展示台２の長さに一致、若しくは連接された２個のディスプレイ台１，１に跨る長さの横長帯状のシートとすることもできるものである。また、訴求表示部材８３は、訴求表示部材８２と同様に３個のスリット状の係止孔２５，２６，２７を利用して立体状商品見本８０若しくはシート状商品見本８１の前方に立体状商品見本８０若しくはシート状商品見本８１に個別に配設することもでき、さらに、３個のスリット状の係止孔２５，２６，２７のうちの係止孔２６を利用して複数の立体状商品見本８０若しくはシート状商品見本８１に跨って配設することもできる。
【００３１】
なお、ディスプレイ台１（商品展示台２）の内部には、照明光源としてのＬＥＤユニット（不図示）が配設され、当該ＬＥＤユニットからの光が商品載置台２のステージ２１に形成した開口部２４を介して立体状商品見本８０の内部に照射、シート状商品見本８１が展示されている場合には前記開口部２４を介してシート状商品見本８１に照射されるように構成されているものである。
【００３２】
また、前記商品載置台２の前面壁２３における断面Ｕ字状のガイド部２３１係止保持される冷温表示部材４は、乳白色（光透過性）のアクリル樹脂により横長帯状に形成されるとともに冷温情報４１の表示領域が上下に間隔を置いて区分され、当該上下の表示領域にそれぞれ異なる冷温情報４１を互いに逆さにして表示してなる。この実施の形態では、冷温表示部材４の上部の表示領域には「ＨＯＴ」の文字、下部の表示領域には不図示の「ＣＯＬＤ」の文字が互いに逆さまに表示されている。なお、図には明示されていないが、冷温情報４１は、商品のホット状態を表すパターンとして暖色（赤色）の背景色に白抜きの「ＨＯＴ」の文字が施され、商品のコールド状態を表すパターンとして寒色（青色）の背景色に白抜きの「ＣＯＬＤ」の文字が施されているものである。前記冷温情報４１が表示された上下の表示領域の間の中間領域は、当該冷温表示部材４を商品載置台２の前面壁２３に形成されたガイド部２３１に装着した際、冷温情報４１を表示する上下の表示領域のうち、下方の表示領域が係止部２３１に隠れるように定められている。価格表示部材５は透明なアクリル樹脂により横長帯状に形成されるとともに冷温表示部材４よりも幅（高さ）が大きく形成され、商品載置台２の前面壁２３に形成された係止部２３１に装着した際、冷温表示部材４よりも上方に突出する箇所に商品価格情報５１が施されている。
【００３３】
前述した本発明の実施の形態１に係る自動販売機の商品見本展示装置によれば、本体キャビネット１０の前面を開閉する外扉２０に形成されたディスプレイ室５０内に配設され、複数の商品見本を展示するディスプレイ台を備えた自動販売機の商品見本展示装置において、ディスプレイ台１は、ディスプレイ室５０の左右方向にｎ分割（ｎ≧２以上の整数）されたプラスチックの成形品になる商品載置台２および当該商品載置台２を保持する左右一対のブラケット３，３からなり、前記商品載置台２のステージ２１上には、立体状商品見本８０を嵌合係止するところの左右方向に配設された複数の開口部２４、シート状商品見本８１若しくは訴求表示部材８２を装着するところの、前記開口部２４の前方側であって当該開口部２４に対応して湾曲状に配設された第一装着部（係止孔２５，２６，２７）、訴求表示部材８３を装着するところの、前記開口部２４の背後であって左右方向に配設された第二装着部（塀状の支持壁２８と当該支持壁２８の前方側に前記支持壁２８から所定の間隙を隔てて起立する挟持片２９）を備え、前記ディスプレイ室５０にディスプレイ台１，１を左右方向に連接してなることにより、一種類のディスプレイ台１により横幅の異なる複数機種の自動販売機および異なる種類の商品見本（立体状商品見本８０、シート状商品見本８１）に対応可能であるとともに異なる種類の商品見本（立体状商品見本８０、シート状商品見本８１）を選択的に展示することが可能であり、かつ、コストの上昇を招くことなく商品見本（立体状商品見本８０、シート状商品見本８１）の近傍に訴求表示部材８２，８３を取り付けて販売促進を図ることが可能であり、さらにディスプレイ台の１商品載置台２をプラスチックの成形品とすることにより自動販売機の軽量化に寄与するものである。
【００３４】
（実施の形態２）
図７〜図１１は、本発明の実施の形態２に係る自動販売機の商品見本展示装置を示す。この実施の形態２に係る自動販売機の商品見本展示装置が実施の形態１に係る自動販売機の商品見本展示装置の相違する点は、実施の形態１に係る自動販売機の商品見本展示装置のディスプレイ台１を構成する商品載置台２のステージ２１が水平面として構成されているのに対し、ディスプレイ台１Ａを構成する商品載置台２Ａのステージ２１Ａが前傾した傾斜面として形成されている点であり、左右一対のブラケット３，３を含むその他の構成については同一であるので、同一の符号を付して重複する説明について省略する。
【００３５】
図７において、中扉６０と、図１２に示した外扉２０に開閉可能に支持されるとともに外扉２０の前面を覆う透明板４０との間の空間がディスプレイ室５０として形成されている。１Ａは前記中扉６０に取付けられたディスプレイ台である。前記ディスプレイ台１Ａは、この実施の形態２ではディスプレイ室５０の左右方向に２分割されてなり、２個のディスプレイ台１Ａを左右方向に連ねて上下方向に３段の展示部が形成されている。なお、６１は中扉６０の下端に係止されたポスター展示部である。
【００３６】
前記ディスプレイ台１Ａは、図８に示すように、光透過性（例えば、乳白色）のプラスチック成形品からなる商品載置台２Ａと薄板鋼板からなる左右一対のブラケット３（３Ｌ１），３（３Ｍ）とからなる。図８は左右に２分割されたディスプレイ台１Ａのうち、左側のディスプレイ台１Ａを示している。前記商品載置台２Ａは、図９にも示すように、横長平板状で前傾したステージ２１Ａと、当該ステージ２１Ａの左右端縁に連なる左右側壁２２Ａ，２２Ａと、前記ステージ２１Ａの前縁に連なる前面壁２３Ａとからなる。前記商品載置台２Ａのステージ２１Ａには、立体状商品見本８０が嵌合係止される複数、この実施の形態１では６個からなる略楕円形状の開口部２４Ａと、前記開口部２４Ａの前方側であって当該開口部２４Ａの楕円形状縁部に沿って前方側に凸の湾曲状に形成された一条のスリット２５０と、前記開口部２４Ａの背後であって左右方向に配設された一条のスリット２８０が形成されている。前記開口部２４Ａの楕円形状縁部に沿って湾曲状に配設された一条のスリット２５０が、後述する図１１に示したシート状商品見本８１若しくは訴求表示部材８２を装着する第一装着部として構成され、前記一条のスリット２８０が訴求表示部材８３を装着する第二装着部として構成されている。ここで、スリット２５０，２８０のスリット幅は薄いシート状商品見本８１若しくは薄いシート状の訴求表示部材８２，８３の厚み寸法よりも比較的大きく形成されているが、スリット２５０，２８０の対向する内壁には、実施の形態１と同様に、互い違いに噛み合う鋸歯状の突起（不図示）が形成されており、対向する突起の先端の間に微小間隙が生じるように構成されているものである。なお、前方側に凸の湾曲状に形成されたスリット２５０の前方側は有底（溝）として形成されているものである。
【００３７】
前記商品載置台２Ａの左右側壁２２Ａ，２２Ａにはそれぞれ内側に向って突出する支持軸２２１Ａ（図９（ａ）参照）が形成されている。この支持軸２２１Ａは、左右側壁２２Ａ，２２Ａに一体に形成され、上方に開放した半円状に形成されるとともに当該半円の両端が水平をなしている。前記商品載置台２Ａの前面壁２３Ａの下端は前方側に折り返して断面Ｕ字状のガイド部２３１Ａが形成されている。このガイド部２３１Ａは、前面壁２３Ａとの間に前後に重ね合わせて装着されるところの図１１に示した横長帯状の冷温表示部材４および価格表示部材５を係止保持する係止溝を構成するものである。前記ガイド部２３１ＡのＵ字状底壁には、実施の形態１と同様に、冷温表示部材４および価格表示部材５の溝（不図示）と係合する係止部（不図示）が形成され、冷温表示部材４および価格表示部材５が左右方向にずれるのを防止するように構成され、また、前面壁２３Ａとガイド部２３１Ａと対向する壁面には上下方向に延在する突起（不図示）が互い違いに設けられている。また、前記ガイド部２３１ＡのＵ字状底部には複数の開口部２３４Ａが形成されている。前記開口部２３４Ａには、前面壁２３Ａとガイド部２３１Ａとの間の係止溝に装着された冷温表示部材４および価格表示部材５が臨み、前記開口部２３４Ａを介して冷温表示部材４若しくは価格表示部材５を指により上方へ移動させることが可能である。なお、前述した商品展示台２Ａの側壁２２Ａ，２２Ａには内方に突出した突片２２２Ａ（図９の（ａ）参照）が形成されており、この突片２２２Ａは左右一対のブラケット３（３Ｌ１），３（３Ｒ１）に商品展示台２Ａを組み付けた際、ブラケット３（３Ｌ１），３（３Ｒ１）のガイド片３２に当接するものである。
【００３８】
次に、図８に示すディスプレイ台１Ａの組立てについて図１０図を参照しつつ説明すると、まず、左右一対のブラケット３，３をディスプレイ室の中扉６０（図７参照）に実施の形態１と同様に取付ける。次いで、中扉６０に固着された左右一対のブラケット３Ｌ１，３Ｍに対して商品載置台２Ａを、左右一対のブラケット３Ｌ１とブラケット３Ｍを構成するブラケット３Ｒ１の上方から被せるように装着する。この場合、商品載置台２Ａの左右側壁２２Ａ，２２Ａに内側に向けて突出する支持軸２２１Ａをブラケット３Ｌ１，３Ｒ１の挿脱溝部３１３に対峙させた上で、商品載置台２Ａをブラケット３Ｌ１，３Ｒ１に被せる。そして、商品載置台２Ａの側壁２２Ａ，２２Ａに形成した突片２２２Ａがブラケット３Ｌ１の上縁に形成したガイド片３２に当接すると、支持軸２２１Ａがブラケット３Ｌ１，３Ｒ１の異形溝３１に嵌合した状態で商品載置台２Ａがブラケット３Ｌ１，３Ｒ１に一体化される。この状態で商品載置台２Ａを後方（中扉６０側）にスライドさせると、支持軸２２１Ａが異形溝３１のスライド溝部３１２に移動する。前記異形溝３１のスライド溝部３１２に移動する支持軸２２１Ａにおける半円状の水平な両端がスライド溝部３１２の平坦な上縁に対峙する。そして、商品載置台２Ａの後端が中扉６０に当接する直前にまでスライドさせると商品載置台２Ａの側壁２２Ａ，２２Ａに形成した突片２２２Ａがブラケット３Ｌ１，３Ｒ１のガイド片３２，３２（図８参照）の背後に落とし込まれる。このように、前記商品載置台２Ａの支持軸２２１Ａが異形溝３１のスライド溝部３１２に移動すると、商品載置台２は商品展示位置にセットされる（図１０参照）。
【００３９】
図１０に示すように商品載置台２Ａを商品展示位置にセットした状態から商品載置台２Ａを若干持ち上げて商品載置台２Ａの側壁２２Ａ，２２Ａに形成した突片２２２Ａがブラケット３Ｌ１，３Ｒ１の上縁に内側を向くように形成されたガイド片３２，３２の上面に乗せたうえで商品載置台２１Ａを前方にスライド移動させると、商品載置台２Ａの左右側壁２２Ａ，２２Ａに設けた支持軸２２１Ａがブラケット３Ｌ１，３Ｒ１の異形溝３１における後半域のスライド溝部３１２から前半域の円弧状溝部３１１に移動する。この状態で商品載置台２Ａを、支持軸２２１Ａを支点として前方側に回動させると商品載置台２Ａがメンテナンス位置で前傾するように傾倒し始める。そして、商品載置台２Ａの前面壁２３Ａの下端がブラケットブラケット３Ｌ１，３Ｒ１に当接すると商品載置台２Ａは前傾姿勢に傾倒した状態に保持される。
【００４０】
さて、商品展示位置にセットされた商品載置台２Ａのステージ２１Ａに形成された開口部２４Ａには、図１１に示すように、従来と同様に立体状商品見本８０が装着されて展示される一方、前記開口部２４Ａの楕円形状縁部に沿って湾曲状に配設された一条のスリット２５０にはシート状商品見本８１が装着される。前記シート状商品見本８１は、可撓性の薄いプラスチックシートに商品の外観意匠を印刷した矩形平板状の透明若しくは半透明のシートからなるものである。このシート状商品見本８１はスリット２５０に沿って前方側に凸となるように湾曲させた状態で前記スリット２５０に差し込まれる。この場合、前記スリット２５０の前方側は有底として形成されているので、シート状商品見本８１が下方に落下することはない。前記スリット２５０に装着されたシート状商品見本８１はその復元力によって位置決めされるとともに前記スリット２５０によって前方側に凸となるように湾曲した状態が維持される。したがって、薄いプラスチックシートからなるシート状商品見本８１を起立姿勢に自立させて安定して展示することが可能となる。ここで、商品載置台２Ａのステージ２１Ａに形成された開口部２４Ａの楕円形状縁部に沿って湾曲状に配設された一条のスリット２５０には、図１１に示したシート状商品見本８１の他に訴求表示部材８２を装着することもできる。
【００４１】
また、商品載置台２Ａのステージ２１Ａに形成された開口部２４Ａの背後であって左右方向に配設された一条のスリット２８０には訴求表示部材８３が装着される。この訴求表示部材８３はステージ２１Ａに展示された立体状商品見本８０若しくはシート状商品見本８１に係る飲料を表現する模様、例えば飲料が炭酸飲料である場合には泡をイメージした模様（図ではリボン）などを印刷した矩形平板状若しくは横長帯状のシートからなるものでる。前記訴求表示部材８３はその下端をスリット２８０に差し込むことにより起立状態で展示される。この場合、スリット２８０の対向する壁面には互い違いに噛み合う鋸歯状の突起（不図示）が形成されているので、スリット２８０に差し込まれた訴求表示部材８３は位置決めされて安定した起立姿勢に維持される。
【００４２】
なお、ディスプレイ台１Ａ（商品展示台２Ａ）の内部には、照明光源としてのＬＥＤユニット（不図示）が配設され、当該ＬＥＤユニットからの光が商品載置台２Ａのステージ２１に形成した開口部２４Ａを介して立体状商品見本８０の内部に照射、シート状商品８１が展示されている場合には前記開口部２４を介してシート状商品８１に照射されるように構成されているものである。
【００４３】
前述した本発明の実施の形態２に係る自動販売機の商品見本展示装置によれば、本体キャビネット１０の前面を開閉する外扉２０に形成されたディスプレイ室５０内に配設され、複数の商品見本を展示するディスプレイ台を備えた自動販売機の商品見本展示装置において、ディスプレイ台１Ａは、ディスプレイ室５０の左右方向にｎ分割（ｎ≧２以上の整数）されたプラスチックの成形品になる商品載置台２Ａおよび当該商品載置台２Ａを保持する左右一対のブラケット３，３からなり、前記商品載置台２Ａのステージ２１Ａ上には、立体状商品見本８０を嵌合係止するところの左右方向に配設された複数の開口部２４Ａ、シート状商品見本８１若しくは訴求表示部材８２を装着するところの、前記開口部２４の前方側であって当該開口部２４に対応して湾曲状に配設された第一装着部（一条のスリット２５０）、訴求表示部材８３を装着するところの、前記開口部２４の背後であって左右方向に配設された第二装着部（一条のスリット２８０）を備え、前記ディスプレイ室５０にディスプレイ台１Ａ，１Ａを左右方向に連接してなることにより、一種類のディスプレイ台１Ａにより横幅の異なる複数機種の自動販売機および異なる種類の商品見本（立体状商品見本８０、シート状商品見本８１）に対応可能であるとともに異なる種類の商品見本（立体状商品見本８０、シート状商品見本８１）を選択的に展示することが可能であり、かつ、コストの上昇を招くことなく商品見本（立体状商品見本８０、シート状商品見本８１）の近傍に訴求表示部材８２，８３を取り付けて販売促進を図ることが可能であり、さらにディスプレイ台の１Ａ商品載置台２Ａをプラスチックの成形品とすることにより自動販売機の軽量化に寄与するものである。
【００４４】
なお、前記実施の形態１，２では構成が同一のディスプレイ台１、１若しくはディスプレイ台１Ａ，１Ａを左右方向に連接するものについて説明したが、構成が異なるディスプレイ台１およびディスプレイ台１Ａを連接することができるものであり、前述した実施の形態によりこの発明が限定されるものではない。
【符号の説明】
【００４５】
１，１Ａ…ディスプレイ台、２，２Ａ…商品展示台、３，３Ｌ１，３Ｒ１，３Ｍ…ブラケット、４…冷温表示部材、５…価格表示部材、２０…外扉、２１，２１Ａ…ステージ、２２，２２Ａ…側壁、２３，２３Ａ…前面壁、２４，２４Ａ…開口部、２５，２６，２７…係止孔（第一装着部）、２８…支持壁（挟持片２９とともに第二装着部を構成）、２９…挟持片（支持壁２８とともに第二装着部を構成）、５０…ディスプレイ室、８０…立体状商品見本、８１…シート状商品見本、８２，８３…訴求表示部材、２３１，２３１Ａ…ガイド部、２５０…スリット（第一装着部）、２８０…スリット(第二装着部)。
【図１】
2014071875.tif 000003
【図２】
2014071875.tif 000004
【図３】
2014071875.tif 000005
【図４】
2014071875.tif 000006
【図５】
2014071875.tif 000007
【図６】
2014071875.tif 000008
【図７】
2014071875.tif 000009
【図８】
2014071875.tif 000010
【図９】
2014071875.tif 000011
【図１０】
2014071875.tif 000012
【図１１】
2014071875.tif 000013
【図１２】
2014071875.tif 000014